(57)【特許請求の範囲】
【請求項１】
容器本体と、該容器本体の口部にシール性を有して着脱可能に設けられると共に天部に開口が形成された蓋本体と、該蓋本体の後部に蝶着されて前記開口を開閉自在に覆う蓋板と、該蓋板の止錠状態で該蓋板と上記蓋本体の開口周縁部との間に圧着状態で介在されてその容器本体内部を密閉するパッキン材と、該蓋本体の前端中央上面に凹設された凹所の奥面に突出して設けられた係合突起と、該蓋板の先端中央の裏面に突設されて該係合突起に係合して止錠するフックとを備えた気密化粧料容器において、
該パッキン材の圧着により該フックと該係合突起との係合面間に略上下方向に働く弾性復元力に対して、ほぼ垂直となるように該係合面を略水平に形成し、
該凹所には、後端が該フックの下方を潜って後方に延びるとともに前端が斜め上方に延び、該前端部の下方への押圧操作により揺動して該後端が該フックの後面に係合して該フックを前方に押し出すプッシュピースを設けた、
ことを特徴とする気密化粧料容器。
【発明の詳細な説明】
【０００１】
【発明の属する技術分野】
本発明は、気密化粧料容器に係わり、特に良好な気密性と開閉の容易性とを兼ね備えた気密化粧料容器に関する。
【０００２】
【従来の技術】
従来、気密化粧料容器として、天部が開口された筒状の蓋本体を有底筒体状の容器本体の口部にシール性を保って螺着し、この蓋本体の後端部に開閉自在に蝶着した蓋板で上記開口を覆って、開口の周縁部と蓋板の裏面との間には気密性を得るためのパッキン材を介在させるようにしたものが知られている。
【０００３】
そして、この種の気密化粧料容器では、蓋本体と蓋板とをそれらの前端部間に設けたフック機構によって相互に係合させて、蓋板の止錠状態を保持し、かつ、このフック機構による止錠を解除するための機構として、一端に押圧操作部を有して他端が蓋板の裏面に当接する梃子を蓋本体の前端部に設けるのが一般的な構造となっている。
【０００４】
即ち、解除機構は、梃子で蓋板を上方に押し上げながら回動させることでフック機構の係合を解除させる構造、つまりフック機構の係合面は傾斜面に形成して、蓋板の上方への回動力によりフック機構のフック部をその傾斜面に沿わせて弾性変形させてその係合を解除させるようになっている。
【０００５】
【発明が解決しようとする課題】
ところで、このような気密化粧料容器にあっては、容器本体内部の気密性を良好に保つには、蓋板の止錠状態においてパッキン材を充分に圧縮して押し潰した状態に維持する必要があるが、そうすると逆にパッキン材の弾性復元力が大きくなって、蓋板を上方に向けて回動させようとする力も大きくなる。
【０００６】
このため、上記従来の気密化粧料容器のようにフック機構の係合面を傾斜面に形成していると、パッキンの弾性復元力がこの傾斜面を介して絶えずフック部に伝わることになり、フック部が解除方向に弾性変形されて蓋板が押し戻され、良好な気密性を保ち難くなるとともに、フック部に経時変形を生じさせ易くなる。そして、フック部に経時変形が生じると、止錠状態においてパッキン材を蓋板で充分に押し潰すことができなくなり、良好な気密性が一層損なわれることになる。よって、上記従来の気密化粧料容器では、良好な気密性を確保し難く、しかも良好な気密性を長期にわたって維持するのが困難であるという問題がある。
【０００７】
そこで、これを改善するには、フック部の肉厚を大きくしたり、係合面に対してパッキン材の弾性復元力がなるべく鉛直に働くように、その傾斜角度を小さくすることが考えられる。しかしながら、このようにすると、梃子で蓋板を上方に回動させて止錠を解除させようとしても、フック部が弾性変形し難くなって、開放操作性の点で問題が生ずる。
【０００８】
本発明はかかる従来の課題に鑑みてなされたものであり、その目的は、良好な気密性を長期にわたって確保できるとともに、蓋板を軽い操作性で開閉できる気密化粧料容器を提供することにある。
【０００９】
【課題を解決するための手段】
かかる目的を達成するために本発明は、容器本体と、該容器本体の口部にシール性を有して着脱可能に設けられると共に天部に開口が形成された蓋本体と、該蓋本体の後部に蝶着されて前記開口を開閉自在に覆う蓋板と、該蓋板の止錠状態で該蓋板と上記蓋本体の開口周縁部殿間に圧着状態で介在されてその容器本体内部を密閉するパッキン材と、該蓋本体の前端中央上面に凹設された凹所の奥面に突出して設けられた係合突起と、該蓋板の先端中央の裏面に突設されて該係合突起に係合して止錠するフックとを備えた気密化粧料容器において、該パッキン材の圧着により該フックと該係合突起との係合面間に略上下方向に働く弾性復元力に対して、ほぼ垂直となるように該係合面を略水平に形成し、該凹所には、後端が該フックの下方を潜って後方に延びるとともに前端が斜め上方に延び、該前端部の下方への押圧操作により揺動して該後端が該フックの後面に係合して該フックを前方に押し出すプッシュピースを設けた。
【００１０】
したがって、本発明の気密化粧料容器では、蓋本体に対して蓋板を閉止した状態において、パッキン材の圧着による弾性復元力はフックと係合突起とからなる止錠部の係合面に対して略垂直に働くことになるから、フックを止錠解除方向に押し出すような弾性復元力の分力は生じることが無く、よってフックが弾性変形して蓋板が開放方向に押し戻されることがない。このため、パッキン材を充分に押し潰した圧着状態で蓋板を蓋本体に止錠でき、良好な気密性を確保できる。更に、フックの上記弾性変形に起因する経時変形が生ずることもないので、良好な気密性を長期にわたって維持できる。
【００１１】
また、プッシュピースの前端部を押圧して押し下げると、その後端部がフックの後面に直接係合して前方に向けて揺動し、当該フックを前方に押し出すので、押圧力は止錠解除力として無駄なく伝わり、軽い操作力で確実に止錠を解除できる。
【００１２】
【発明の実施の形態】
以下、本発明の実施例を添付図面を参照して詳細に説明する。図１から図８は本発明の気密化粧料容器の一実施例を示し、図１は要部を一部分解して示す斜視図、図２は蓋板を閉止した状態の断面図、図３は蓋板を開いた状態の断面図、図４は蓋板を止錠した状態を示す要部拡大正面図、図５は蓋板を閉止した状態を示す要部拡大断面図、図６〜図８は止錠を解放して蓋板を開く状態を追って示す要部拡大断面図である。
【００１３】
本実施例の気密化粧料容器１０は図１〜図３に示すように、有底筒体状をなして内部にクリーム状等の化粧料を収納する容器本体１８と、この容器本体１８の口部１８ａに着脱可能に設けられて天部に開口１２ａを有する蓋本体１２と、この蓋本体１２の後方端部に蝶番１４を介して蝶着される蓋板１６とを備える。
【００１４】
蓋本体１２は筒状をなし、その下部側内周面に形成された雌ねじ部１２ｂが容器本体１８の口部１８ａの外周面に形成された雄ねじ部１８ｂに螺合されて装着される。また、雌ねじ部１２ｂの上方部はその内径が縮径されていて、この縮径された段部端面１２ｃに容器本体１８の口部１８ａ上端面１８ｃがシール材１９を介して当接し、このシール材１９により容器本体１８と蓋本体１２と間のシール性が確保されるようになっている。
【００１５】
前記蝶番１４は、蓋本体１２の後端部中央に形成される凹部１４ａに、蓋板１６の後端部中央に形成される凸部１４ｂが嵌合され、これら凹部１４ａと凸部１４ｂとに跨がって両側から蝶番ピン１４ｃが挿入されることにより構成される。また、前記蓋板１６の先端部中央からフック１６ａが突設され、このフック１６ａは蓋板１６の閉止状態で蓋本体１２の前端中央部に設けた係合突起１２ｄに係合されて両者を止錠する。なお、この止錠構造及びその解除機構の詳細については後述する。
【００１６】
また、前記蓋板１６の裏面１６ｃにはパッキン材２０が取付けられ、蓋板１６の止錠状態でこのパッキン材２０は蓋板１６蓋本体１２の開口周縁部との間に圧着介在されて容器本体１８の内部を密閉するようになっている。前記パッキン材２０の中央部には、これに重ね合わせて保持板２２が配置されるようになっており、パッキン材２０の中央部に形成された開口部２０ａを、この保持板２２の中央部から突設される筒状凸部２２ａに嵌着し、この筒状凸部２２ａを蓋板１６の裏面１６ｃから突設される凸部１６ｄに圧入固定することにより、前記パッキン材２０が蓋板１６に取付けられる。
【００１７】
前記パッキン材２０の外周部分２０ｂは前記保持板２２の外周から突出されており、この保持板２２から突出されたパッキン材２０の外周部分２０ｂには、外周から所定距離だけ内方に入った部分の下面に、前記蓋本体１２上端の開口内周面に沿って筒状の環状突起２４が一体に突設されている。前記環状突起２４は、蓋本体１２を覆うように蓋板１６を閉止したのみの状態では、極端には図７に示すように、蓋本体１２の開口内周面との間に若干の間隙δが設けられるように形成される。この間隙δは、限りなく小さくてよい。また、前記パッキン材２０には前記環状突起２４の形成部分より内方に位置する部分に、このパッキン材２０の外周部分２０ｂを可動とする可動継手部としてのヒンジ２６が形成される。更に、前記パッキン材２０の外周部分２０ｂ下面には、前記環状突起２４の形成部分より外方に、このパッキン材２０の外周部分２０ｂを上向きに傾動させる傾動機構としての凸部２８を突設してある。この凸部２８は、蓋本体１２の周方向に沿って環状に形成しても、またその周方向に沿って間隔を隔てて複数形成してもよい。さらに、前記パッキン材２０の外周部分２０ｂに対応する蓋板１６の裏面１６ｃには、この外周部分２０ｂの動きを許容するスペースとして凹設部１６ｅが形成されている。
【００１８】
ところで、蓋板１６の止錠状態での密閉性を良好に確保するためには、パッキン材２０をある程度以上の力で押し潰し、且つ、その際にはパッキン材２０の弾性力で蓋板１６の止錠状態が弛まないようにする必要がある。また、蓋板１６を開放する際の止錠解除の操作性も良好に確保する必要がある。このため、フック１６ａと係合突起１２ｄとによる止錠部の構造並びにその解除機構は以下のように構成されている。
【００１９】
即ち、フック１６ａと係合突起１２ｄとは蓋本体１２と蓋板１６との両者にかけてそれらの前端部中央及び先端部中央に形成した凹所３０（３０ａ，３０ｂ）に設けられる。ここで、蓋本体１２側の係合突起１２ｄは凹所３０ａの奥面の縦壁３２上端部に、前方に突出して設けられ、その上面は下方に傾斜して延び、下面は若干上方に傾斜するもののほぼ水平に延びて、縦断面台形状をなして当該縦壁３２に一体形成されている。
【００２０】
また、蓋板１６側のフック１６ａは当該蓋板１６の凹所３０ｂの奥面を形成する縦壁３４がさらに下方に延長されて一体形成され、その裏面側には後方に突出して上記係合突起１２ｄの下面に係合する突片３６が設けられている。この突片３６も縦断面台形状に突出形成され、上記係合突起１２ｄとの止錠係合面となる当該突片３６の上面３６ａはその係合突起１２ｄの下面に符合されてほぼ水平に形成されている。また、突片３６の下面３６ｂは傾斜面に形成され、止錠の際には係合突起１２ｄ上面の傾斜面に当接して蓋板１６の押し下げ力により容易にフック１６ａを弾性変形させ得るようになっている。
【００２１】
また、この凹所３０には止錠を解除するための解除機構としてプッシュピース４０が設けられている。このプッシュピース４０はその後端４０ａが止錠状態のフック１６ａの下方を潜って当該フック１６ａの後方に延び、前端４０ｂが斜め上方に屈曲して蓋本体１２の外周面部位まで延びる梃子状をなし、止錠状態のフック１６ａに近接する直前部位で上方に屈曲形成されている。また、プッシュピース４０の後端４０ａには、止錠状態のフック１６ａ後面に突出形成された突片３６の下面３６ｂに当接する突起４０ｃが上方に一体的に突出形成され、且つこの止錠状態では、当該後端４０ａの下面は凹所３０ａの上面３０ｃに面接触する。
【００２２】
また、プッシュピース４０の下面中央にはそのほぼ屈曲部位から下方に延出されて、当該プッシュピース４０の梃子としての回動支点部Ｃを下方位置に形成するための支持片４２が一体形成されている。この支持片４２は凹所３０の上面３０ｃに開口形成された収納孔部４４内に傾動可能に遊びをもって挿入されており、収納孔部４４には支持片４２の傾動に伴ってその後面４２ａに当接して回動支点Ｃを形成するための段部４４ａが、後方側の縦壁に設けられている。また、収納孔部４４の前方側縦壁には、上記段部４４ａに対向する部分に上側が前方に傾く傾斜面４４ｂが形成されている。この傾斜面４４ｂはプッシュピース４０の凹所３０からの抜け落ちを防止しつつ、支持片４２の傾動を許容しようとするもので、傾斜面４４ｂ下端と段部４４ａとの間隔が、鏃状に拡大形成された支持片４２の先端部の厚みよりも若干小さく形成されている。
【００２３】
即ち、この図示例のプッシュピース４０にあっては下方に突出させた支持片４２により、フッシュピース４０の回動支点Ｃを下方位置に形成することで、当該プッシュピース４０の前端部を下方に押圧操作して揺動させたときに、このプッシュピース後端４０ａがフック１６ａの後面に係合して、このフック１６ａを前方に押し出すストロークを充分に確保し、止錠解除の操作性を向上させている。なお、プッシュピース４０はその回動により後端４０ａでフック１６ａを前方に押し出すようにすれば良いものであるから、フック１６ａとプッシュピース後端４０ａとの係合点に対して、その直下の延長線上になるべく回動支点Ｃを近づけるようにすれば良く。止錠解除に必要な前方へのストロークが確保できれば、図示例のような回動支点を下方位置に形成するための支持片４２は、必ずしも必要ではない。
【００２４】
以上の構成により本実施例の気密化粧料容器１０にあっては、蓋板１６を閉じる際に、まず蓋板１６を軽く閉止した状態では図７に示すように、環状突起２４が蓋本体１２の開口１２ａ内に挿入されると共に、パッキン材２０の外周部分２０ｂに形成した凸部２８が蓋本体１２の上端に当接された状態となる。このとき、蓋板１６のフック１６ａは蓋本体１２の係合突起１２ｄにまだ係合された状態にはなく、また、前記環状突起２４は蓋本体１２の開口内周面との間に間隙δが設けられているため、このパッキン材２０によって容器本体１８内部が密閉されてはいない。
【００２５】
そして、かかる閉止状態から蓋板１６を押し下げてフック１６ａを係合突起１２ｄに止錠すると、前記凸部２８は側壁１２ａの上端に押されて、パッキン材２０の中央部に対して相対的に押上げられることになる。すると、図５に示すようにパッキン材２０の外周部分２０ｂは前記凸部２８を力点、ヒンジ２６を支点として、このヒンジ２６から上向きに傾動される。このようにパッキン材２０の外周部分２０ｂが傾動されると、これに伴って前記環状突起２４は外方に拡径されるように傾動し、この環状突起２４の下端部が蓋本体１２の開口内周面に圧接して、パッキン材２０はこの容器本体１８内部を密閉して気密状態とする。
【００２６】
従って、本実施例の気密化粧料容器１０は、蓋板１６が蓋本体１２に対して止錠された状態で初めて前記環状突起２４が蓋本体１２の開口内周面に圧接される構造であるため、蓋板１６を閉じる際に環状突起２４が蓋本体１２の開口内周面に接触することがない。このため、蓋板１６が止錠されるまでは、前記環状突起２４が蓋本体１２の開口内周面に擦られることがないため、パッキン材２０の損耗を防止でき、その耐久性を大幅に向上することができると共に、蓋板１６を軽いタッチでスムーズに閉じることができる。
【００２７】
また、この気密状態では圧接されたパッキン材２０の弾性復元力により蓋板１６には開放方向の力が働き、この開放方向の力つまり弾性復元力は止錠部のフック１６ａと係合突起１２ｄとの係合により受け止められて、それらの係合面間に略上下方向に作用することになる。ところが、止錠状態のフック１６ａと係合突起１２ｄとの係合面同士は相互にほぼ水平に係合し合っているから、弾性復元力はこれら係合面間にほぼ鉛直に作用することになり、上記フック１６ａに対してこれを止錠解除方向に弾性変形させようとする分力は殆ど生じ無い。よって、フック１６ａが解除方向に弾性変形されることが無く、止錠状態が弛んで蓋体１６が開放方向に押し戻されることも無い。従って、パッキン材２０の圧接力が弱まって気密性が低下することがない。
【００２８】
一方、止錠状態にある前記フック１６ａと係合突起１２ｄとの係合を解除するには、凹所３０に設けられているプッシュピース４０の押圧操作により行う。即ち、プッシュピース前端４０ｂの押圧操作部を下方に向けて押し下げると、プッシュピース４０は支持片４２の後面４２ａが収納孔部４４の段部４４ａ下端の角部に当接してこの角部を回動支点Ｃにして揺動し、プッシュピース後端４０ａがフック１６ａ後面に当接係合してこれを前方に向けて押し出す。これにより、フック１６ａが弾性変形してフック１６ａ後面の突片３６が係合突起１２ｄから外れて止錠が解除される。この際、押圧力は止錠解除力として無駄なく伝わり、軽い操作力で確実に止錠を解除できる。
【００２９】
またこのとき、フック１６ａの止錠解除に伴って傾動状態にあるパッキン材２０の外周部分２０ｂが平坦に復元し、蓋本体１２の開口内周面に強く押し当てられていた環状突起２４の当該蓋本体１２開口内周面に対する圧接力が弱まり、ひいては蓋本体１２から離れるようになる。従って、前記環状突起２４が蓋本体１２の開口内周面と擦れることがなく、蓋板１６をスムーズに開けることができる。
【００３０】
ところで、前記蓋板１６を開放するにあたっては、環状突起２４と蓋本体１２の開口内周面との間の圧接が弱まって空気が容器本体１８内に進入するため、蓋板１６を持上げる際にこの容器本体１８内部が負圧になるのを防止でき、この面からも蓋板１６を軽い操作力でスムーズに開けることができる。
【００３１】
【発明の効果】
以上説明したように、本発明の気密化粧料容器にあっては、蓋本体に対して蓋板を閉止した状態において、パッキン材の圧着による弾性復元力は止錠部の係合面に対して略垂直に働くことになるから、フックを止錠解除方向に押し出すような弾性復元力の分力は生じることが無く、よってフックが弾性変形して蓋板が開放方向に押し戻されることがない。このため、パッキン材を充分に押し潰した圧着状態を維持して蓋板を蓋本体に止錠でき、良好な気密性を確保できる。更に、フックの上記弾性変形に起因する経時変形が生ずることもないので、良好な気密性を長期にわたって維持できる。
【００３２】
また、プッシュピースの前端部を押圧して押し下げると、その後端部がフックの後面に直接係合して前方に向けて揺動し、当該フックを前方に押し出すので、押圧力は止錠解除力として無駄なく伝わり、軽い操作力で確実に止錠を解除できる。
【図面の簡単な説明】
【図１】本発明に係る気密化粧料容器の一実施例を示すもので、要部を一部分解して示す斜視図である。
【図２】同上、蓋板を閉止した状態の断面図である。
【図３】同上、蓋板を開いた状態の断面図である
【図４】同上、蓋板を止錠した状態を示す要部拡大正面図である。
【図５】同上、蓋板を止錠した状態を示す要部拡大断面図である。
【図６】同上、止錠の解放動作前記の状態を示す要部拡大断面図である。
【図７】同上、止錠の解放動作後期の状態を示す要部拡大断面図である。
【図８】同上、止錠の解放動作完了状態を示す要部拡大断面図である。
【符号の説明】
１０    気密化粧料容器              １２    蓋本体
１２ａ  開口                        １２ｄ  係合突起
１４    蝶番                        １６    蓋板
１６ａ  フック                      １８    容器本体
１８ａ  口部                        ２０    パッキン材
３０    凹所                        ３２    縦壁（奥面）
３６ａ  突片の上面（係合面）        ３６ｂ  突片の下面（フックの後面）
４０  プッシュピース                ４０ａ      後端
４０ｂ      前端
【図１】
0003720486.tif 000002
【図２】
0003720486.tif 000003
【図３】
0003720486.tif 000004
【図４】
0003720486.tif 000005
【図５】
0003720486.tif 000006
【図６】
0003720486.tif 000007
【図７】
0003720486.tif 000008
【図８】
0003720486.tif 000009